【手続補正書】
【提出日】平成18年5月2日(2006.5.2)
【手続補正１】
【補正対象書類名】明細書
【補正対象項目名】発明の名称
【補正方法】変更
【補正の内容】
【発明の名称】メダル貸出装置およびメダルの払出方法
【手続補正２】
【補正対象書類名】明細書
【補正対象項目名】特許請求の範囲
【補正方法】変更
【補正の内容】
【特許請求の範囲】
【請求項１】
受入金額と分割指示ユニット(２４、５２)の分割指示数に基づいて分割払い出しメダル数を出力する分割払出数設定ユニット(５６、７８)、払出信号に基づいてメダルを払い出すメダル払出ユニット(１８)、前記メダル払出ユニット(１８)から払い出されたメダル数を検出する払出数検出ユニット(３８)、前記分割払出数設定ユニット(５６、７８)によって設定された分割払出数及び前記払出数検出ユニット(３８)の検出メダル数に基づいてメダル払出ユニット(１８)を停止する停止ユニット(５８)、を備えるメダル貸出装置。
【請求項２】
前記分割払出数設定ユニット(７８)は、受け入れた金額に基づいてメダルの総払出数を設定する総払出数設定ユニット(７２)、前記分割指示ユニット(２４)の分割指示数に基づいて分割払出のメダル数を出力し、前記払出数検出ユニット(３８)が前記分割払出のメダル数を検出したとき前記メダル払出ユニット(１８)を停止するための信号を出力する分割ユニット(５７)を備える請求項１に記載したメダル貸出装置。
【請求項３】
さらに、前記メダル払出ユニット(１８)からのメダル払出に先立ってメダルを収納する容器(３６)を一個ずつ払出部(２０)に供給する容器供給ユニット(６０)、を備える請求項1に記載したメダル貸出装置
【請求項４】
さらに、前記メダル払出検出ユニット(３８)の所定のメダル数検出に基づいて前記払出部(２０)の容器(３６)の除去信号を出力する容器除去信号出力ユニット(Ｓ３６)、前記払出部(２０)の容器(３６)の有無を検出する容器検出ユニット(６６)、前記容器検出ユニット(６０)の容器無し信号に基づいて前記容器供給ユニット(６０)及び前記メダル払出ユニット(１８)を起動する残量払出ユニット(８０)、を有する請求項３に記載したメダル貸出装置。
【請求項５】
さらに、表示ユニット(２２)を備え、前記容器除去信号に基づいて前記表示ユニット(２２)に容器(３６)の取り出しを促す表示を行う請求項4に記載したメダル貸出装置。
【請求項６】
前記払出数検出ユニット(３８)が前記メダル払出ユニット(１８)からの払い出し数をカウントするカウンタである請求項1のメダル貸出装置。
【請求項７】
受け入れた金額情報に基づいてメダルの総払出数が設定されて、メダルの払い出しが行われるメダル貸出装置において、
許容限度払い出し数を設定する設定手段と、この限度枚数内で、前記総払出数分のメダルを分けて払い出す払出制御手段を備えたメダルの貸出装置。
【請求項８】
受け入れた金額情報に基づいてメダルの総払出数が設定されて、メダルの払い出しが行われるメダル払出方法において、
総払出数分のメダルを所望とする回数で分割して払い出すことを特徴とするメダルの払出方法。
【請求項９】
受け入れた金額情報に基づいてメダルの総払出数が設定されて、メダルの払い出しが行われるメダル払出方法において、
予め一回当たりのメダル払出量を所定量に設定し、総払出数を、指示した分割数に基づいた分割払い出しメダル数で分割して払い出す際に、前記分割払出メダル数が前記所定量を超える場合、前記所定量を超えない量内で払い出しを行い、払い出し後の残りの払出量が前記所定量以上のとき前記量内の払い出しを繰り返し、最後に所定量以下の残量分のメダルを払い出す複数回に分けた払い出しで前記総払出数分のメダルを払い出すメダルの払出方法。
【請求項１０】
受け入れた金額情報に基づいてメダルの総払出数が設定されて、メダルの払い出しが行われるメダル払出方法において、
許容限度払い出し数を設定し、この限度枚数内で、前記総払出数分のメダルを分けて払い出すことを特徴とするメダルの払出方法。
【手続補正３】
【補正対象書類名】明細書
【補正対象項目名】０００７
【補正方法】変更
【補正の内容】
【０００７】
【課題を解決するための手段】
この目的を達成するため、請求項１のメダル貸出装置は以下のように構成されている。
受入金額と分割指示ユニットの分割指示数に基づいて分割払い出しメダル数を出力する分割払出数設定ユニット、払出信号に基づいてメダルを払い出すメダル払出ユニット、前記メダル払出ユニットから払い出されたメダル数を検出する払出数検出ユニット、前記分割払出数設定ユニットによって設定された分割払出数及び前記払出数検出ユニットの検出メダル数に基づいてメダル払出ユニットを停止する停止ユニット、を備えるメダル貸出装置である。
【手続補正４】
【補正対象書類名】明細書
【補正対象項目名】００１６
【補正方法】変更
【補正の内容】
【００１６】
請求項６の発明は、請求項１の発明において、前記払出数検出ユニットが前記メダル払出ユニットからの払い出し数をカウントするカウンタである。
この構成において、払出数検出ユニットがカウンタであるので、容器の容量が変更された場合、その払い出数の設定を変更するのみで対処ができ、極めて容易に対処できる。
また、その変更機能は、ソフトウエアによって構成できるので、安価である。
請求項７の発明は、受け入れた金額情報に基づいてメダルの総払出数が設定されて、メダルの払い出しが行われるメダル貸出装置において、許容限度払い出し数を設定する設定手段と、この限度枚数内で、前記総払出数分のメダルを分けて払い出す払出制御手段を備えたメダルの貸出装置である。
この構成によれば、投入した金額に応じて定まる総払出数分のメダルは、払出制御手段によって、1回に払い出す限度枚数内で、数回に分けて払い出される。限度枚数は、例えばカップの容量に応分して適切に設定することで、容器からのメダルのこぼれを起こさないで、全てのメダルを払い出すことができる。
請求項８の発明は、受け入れた金額情報に基づいてメダルの総払出数が設定されて、メダルの払い出しが行われるメダル払出方法において、総払出数分のメダルを所望とする回数で分割して払い出すメダルの払出方法である。
この構成によれば、投入した金額に応じて定まる総払出数分のメダルを、分割して払出すことができるので、人数分に応じた分量で分けて払い出したりするのに好都合である。
請求項９の発明は、受け入れた金額情報に基づいてメダルの総払出数が設定されて、メダルの払い出しが行われるメダル払出方法において、予め一回当たりのメダル払出量を所定量に設定し、総払出数を、指示した分割数に基づいた分割払い出しメダル数で分割して払い出す際に、前記分割払出メダル数が前記所定量を超える場合、前記所定量を超えない量内で払い出しを行い、払い出し後の残りの払出量が前記所定量以上のとき前記量内の払い出しを繰り返し、最後に所定量以下の残量分のメダルを払い出す複数回に分けた払い出しで前記総払出数分のメダルを払い出すメダルの払出方法である。
この構成では、1回に払い出せる量が決められているので、その量以上のメダルの払い出しでは、限度量内で払い出した後で、残り分のメダルを払い出すという数回に分けて払い出すようにすることで、全てのメダルを分けて払い出すことが可能である。
これにより、希望する分量で分割して払い出すことができる。
請求項１０の発明は、受け入れた金額情報に基づいてメダルの総払出数が設定されて、メダルの払い出しが行われるメダル払出方法において、許容限度払い出し数を設定し、この限度枚数内で、前記総払出数分のメダルを分けて払い出すことを特徴とするメダルの払出方法である。
この構成によれば、投入した金額に応じて定まる総払出数分のメダルは、1回に払い出す限度枚数内で、数回に分けて払い出される。
払い出すメダルが多量であっても、限度枚数内で払い出し動作を間歇的に行う払い出し方なので、払出部やカップからメダルを溢れさせないで、全てのメダルを払い出せる。
【手続補正５】
【補正対象書類名】明細書
【補正対象項目名】００６３
【補正方法】変更
【補正の内容】
【００６３】
【発明の効果】
本発明は、総払出数を所定数に分割したメダルの払出が自動的に行われるので、手作業でカウントすることもなく、また、均等に分割されるので、利用者にとっても便利なメダル貸出装置である。
また、受け入れた金額に基づいて総払い出し数がその都度設定されるので、メダルの換算率が変更になった場合などの対応が容易である。
また払出すメダルが多量であってもそのメダルは、1回当たりの払出枚数の制限のもとで払い出し動作を行うことで分けて払い出しができ、かつ払出部やカップからメダルを溢れさせないで、全てのメダルを払い出せる。
さらに、メダル払出ユニットから払い出されたメダルは容器に収納されるので、容器を払出部から取り出せばよいので、利用者の利便性が高い。